(57)【要約】      （修正有）【課題】極めて簡単な構成で、コイン様の円板を発射できる円板発射玩具を提供する。【解決手段】本体１と、本体１に略上下摺動自在に支持させた押しボタン片３と、押しボタン片３の脇の本体１に回転自在に支持された鉤型の作動片５と、本体１の底面に設けられ、一端が本体１の外端縁に達する円板収納溝１２とから成り、作動片５は押しボタン片３に近づけた上部鉤型片の先端部が本体１に軸支される。作動片５の下端は円板収納溝１２に連通した本体１の透孔１１を通して円板収納溝１２内に突出し、押しボタン片３の一側下部と作動片５の上部鉤型片の、押しボタン片３からみて軸支部より離れた上部鉤型片の基部とを第１スプリングバネ１０で連結し、第１スプリングバネ１０は両端を収縮するよう付勢されている。【選択図】図２
0003195926.tif 000002
【実用新案登録請求の範囲】
【請求項１】
本体と、当該本体に略上下摺動自在に支持させた押しボタン片と、当該押しボタン片の脇の本体に回転自在に支持された鉤型の作動片と、前記本体の底面に設けられ、一端が本体の外端縁に達する被発射体収納溝とから成り、
前記作動片は前記押しボタン片に近づけた上部鉤型片の先端部が本体に軸支され、当該作動片の下端は前記被発射体収納溝に連通した本体の透孔を通して前記被発射体収納溝内に突出し、
前記押しボタン片の一側下部と前記作動片の上部鉤型片の、前記押しボタン片からみて前記軸支部より離れた上部鉤型片の基部とを第１弾性部材で連結し、当該第１弾性部材は両端を収縮するよう付勢され、前記押しボタン片の上下の摺動により当該押しボタン片の第１弾性部材の取付箇所は、前記作動片の軸支部の上方及び下方に移動可能であり、
前記本体を卓上に置き、前記被発射体収納溝に被発射体を収納した状態で前記押しボタン片を下方に押すことにより、前記作動片が前記軸支部を中心に回動し、第１弾性部材に付勢されて前記被発射体の一側を打撃し、当該被発射体を本体外に発射させることが可能な構成としたことを特徴とする、被発射体の発射玩具。
【請求項２】
本体と、当該本体に略上下摺動自在に支持させた押しボタン片と、当該押しボタン片の脇の本体に回転自在に支持されたＴ型の作動片と、前記本体の底面に設けられ、一端が本体の外端縁に達する被発射体収納溝とから成り、
前記作動片はＴ型の上部片の前記押しボタン片に近い端部が本体に軸支され、当該作動片の下端は前記被発射体収納溝に連通した本体の透孔を通して前記被発射体収納溝内に突出し、
前記押しボタン片の一側下部と前記作動片の上部片の、前記押しボタン片からみて前記軸支部より離れた端部とを第１弾性部材で連結し、当該第１弾性部材は両端を収縮するよう付勢され、前記押しボタン片の上下の摺動により当該押しボタン片の第１弾性部材の取付箇所は、前記作動片の軸支部の上方及び下方に移動可能であり、
前記本体を卓上に置き、前記被発射体収納溝に被発射体を収納した状態で前記押しボタン片を下方に押すことにより、前記作動片が前記軸支部を中心に回動し、第１弾性部材に付勢されて前記被発射体の一側を打撃し、当該被発射体を本体外に発射させることが可能な構成としたことを特徴とする、被発射体の発射玩具。
【請求項３】
前記押しボタン片の下端面とこれに対向する本体との間に、前記第１弾性部材の力に抗して、常時押しボタン片の第１弾性部材の取付け位置が、作動片の軸支部より上方に位置するように付勢された第２弾性部材が設けられていることを特徴とする、請求項１又は２に記載の被発射体の発射玩具。
【請求項４】
前記被発射体収納溝の、本体の外周端縁に達する両側に、被発射体の直径よりやや大きい略平行な発射ガイド溝が形成されていることを特徴とする、請求項１〜３のいずれかに記載の被発射体の発射玩具。
【請求項５】
前記押しボタン片の第１弾性部材の取付け端が前記作動片の軸支部より上方に又は下方に位置した際に前記作動片の回転を規制するストッパが本体に設けられていることを特徴とする、請求項１〜４のいずれかに記載の被発射体の発射玩具。
【請求項６】
前記押しボタン片や作動片の一部を被う略伏せ腕状の凹部を下部に有するキャップが、前記押しボタン片の上部に設けられていることを特徴とする、請求項１〜５のいずれかに記載の被発射体の発射玩具。
【考案の詳細な説明】
【技術分野】
【０００１】
この考案は、卓上のコイン等の円板、角板、適宜の球体、ブロック等の被発射体を弾き飛ばして遊ぶ被発射体の発射玩具に関するものである。
【背景技術】
【０００２】
従来、卓上でコインやメダル等の円板を弾いて遊ぶ玩具は種々のものがある。これらはバネの力や輪ゴムの力等弾性体の復元力により円板を弾いて飛ばし、飛んだ距離を競ったり、飛ばした円板により相手の円板を跳ね除けたりして遊ぶものである。
【０００３】
特許文献１は円盤発射玩具であり、円盤の発射道を有する玩具本体と、円盤を打撃する円盤打撃板と、該円盤打撃板を付勢する弾性部材とより成り、前記円盤の発射道に円盤を位置させ、弾性部材の付勢力で進出する円盤打撃板により前記円盤を打撃し、発射させる円盤発射玩具であって、前記円盤の発射道に摩擦弾性部材を設け、前記円盤打撃板の先端打撃面の一部または全部を傾斜面とし、円盤を打撃して発射するに際し、円盤打撃板先端打撃面の傾斜により摩擦弾性部材に当接する方向に打撃して摩擦弾性部材に接触させるもので、前記本体には前記円盤発射道に連通する装填口を有する円盤装填室が設けられたものある。
【０００４】
従って、円盤の発射道に円盤を位置させ、円盤打撃板を弾性部材、例えばスプリングの付勢力で進出させると、円盤打撃板は円板を打撃し、発射させる。この時、円盤打撃板先端の打撃面の一部または全部が傾斜面となっているため、円盤はこの傾斜によって発射道に設けられた摩擦弾性部材に当接する方向に打撃され、円盤は、摩擦弾性部材に接触して発射する。この接触により円盤は回転力が付与されるから、円盤は回転して発射する。また、円盤発射道に連通する装填口を有する円盤装填室が設けられているため、当該円盤装填室に複数の円盤を収納しておくことにより、装填口より自動的に円盤の供給ができる。
【先行技術文献】
【特許文献】
【０００５】
【特許文献１】実開平６−７５５９８号公報
【考案の概要】
【考案が解決しようとする課題】
【０００６】
この円盤発射玩具は、円盤を回転させて発射させるため、円盤打撃板の先端を傾斜面としており、また円盤を接触させる摩擦弾性部材を発射道に設けているため、構造が複雑で、円盤が発射道に引っかかり、発射できない恐れがある。また、円盤装填室に積層した複数の円盤が当該円盤装填室に引っかかり、円盤の発射道に降りてこないおそれがある。
【０００７】
この考案はこれらの点に着目し、極めて簡単な構成で、コイン形状の円板、角板、適宜の球体、ブロック等の被発射体を弾き飛ばすことができる被発射体の発射玩具を提供することを目的としたものである。
【課題を解決するための手段】
【０００８】
請求項１の考案は、本体と、当該本体に略上下摺動自在に支持させた押しボタン片と、当該押しボタン片の脇の本体に回転自在に支持された鉤型の作動片と、前記本体の底面に設けられ、一端が本体の外端縁に達する被発射体収納溝とから成り、前記作動片は前記押しボタン片に近づけた上部鉤型片の先端部が本体に軸支され、当該作動片の下端は前記被発射体収納溝に連通した本体の透孔を通して前記被発射体収納溝内に突出し、前記押しボタン片の一側下部と前記作動片の上部鉤型片の、前記押しボタン片からみて前記軸支部より離れた上部鉤型片の基部とを第１弾性部材で連結し、当該第１弾性部材は両端を収縮するよう付勢され、前記押しボタン片の上下の摺動により当該押しボタン片の第１弾性部材の取付箇所は、前記作動片の軸支部の上方及び下方に移動可能であり、前記本体を卓上に置き、前記被発射体収納溝に被発射体を収納した状態で前記押しボタン片を下方に押すことにより、前記作動片が回動し、第１弾性部材に付勢されて前記被発射体の一側を打撃し、当該被発射体を本体外に発射させることが可能な構成とした、被発射体の発射玩具とした。
【０００９】
また、請求項２の考案は、本体と、当該本体に略上下摺動自在に支持させた押しボタン片と、当該押しボタン片の脇の本体に回転自在に支持されたＴ型の作動片と、前記本体の底面に設けられ、一端が本体の外端縁に達する被発射体収納溝とから成り、前記作動片はＴ型の上部片の前記押しボタン片に近い端部が本体に軸支され、当該作動片の下端は前記被発射体収納溝に連通した本体の透孔を通して前記被発射体収納溝内に突出し、前記押しボタン片の一側下部と前記作動片の上部片の、前記押しボタン片からみて前記軸支部より離れた端部とを第１弾性部材で連結し、当該第１弾性部材は両端を収縮するよう付勢され、前記押しボタン片の上下の摺動により当該押しボタン片の第１弾性部材の取付箇所は、前記作動片の軸支部の上方及び下方に移動可能であり、前記本体を卓上に置き、前記被発射体収納溝に被発射体を収納した状態で前記押しボタン片を下方に押すことにより、前記作動片が回動し、第１弾性部材に付勢されて前記被発射体の一側を打撃し、当該被発射体を本体外に発射させることが可能な構成とした、被発射体の発射玩具とした。
【００１０】
また、請求項３の考案は、前記押しボタン片の下端面とこれに対向する本体との間に、前記第１弾性部材の力に抗して、常時押しボタン片の第１弾性部材の取付け位置が、作動片の軸支部より上方に位置するように付勢された第２弾性部材が設けられている、請求項１又は２に記載の被発射体の発射玩具とした。
【００１１】
また、請求項４の考案は、前記被発射体収納溝の、本体の外周端縁に達する両側に、被発射体の直径よりやや大きい略平行な発射ガイド溝が形成されている、請求項１〜３のいずれかに記載の被発射体の発射玩具とした。
【００１２】
また、請求項５の考案は、前記押しボタン片の第１弾性部材の取付け端が前記作動片の軸支部より上方に又は下方に位置した際に前記作動片の回転を規制するストッパが本体に設けられている、請求項１〜４のいずれかに記載の被発射体の発射玩具とした。
【００１３】
また、請求項６の考案は、前記押しボタン片や作動片の一部を被う略伏せ腕状の凹部を下部に有するキャップが、前記押しボタン片の上部に設けられている、請求項１〜５のいずれかに記載の被発射体の発射玩具とした。
【考案の効果】
【００１４】
請求項１又は２の考案によれば、本体及び被発射体を卓上に置き、使用者は本体を持って被発射体を、本体の被発射体収納溝に入れ、押しボタン片を押すと、第１弾性部材に引っ張られて作動片が回転し、作動片の下端が被発射体収納溝の被発射体の一側を打撃し、被発射体は被発射体収納溝から本体外に発射され、卓上を滑っていく。その際、作動片は第１弾性部材の蓄力作用で勢いよく回転し、被発射体を打撃する。そして被発射体の発射後、前記押しボタン片を持ち上げて、次の被発射体を同様に飛ばすことが出来る。
【００１５】
その際、前記押しボタン片の押下の強さによって被発射体の飛ぶ距離が微妙に変化する。また、被発射体収納溝に入った被発射体の位置によっても飛ぶ距離が変化する。従って、使用者は被発射体の飛ぶ距離の変化を楽しむことが出来る。また、複数の使用者によっても当該玩具で被発射体を飛ばす距離を競うこともでき、さらに、卓上の相手の被発射体に自己の被発射体を飛ばして当てることもできる。この様に当該考案によれば、簡単な構造で卓上において被発射体を飛ばすことができ、耐久性のある玩具として多様に楽しむことが出来る。
【００１６】
また、請求項３の考案によれば、押しボタン片を押下して、被発射体を飛ばした後、使用者は当該押しボタン片への力を抜けば、第１弾性部材の力に抗して第２弾性部材の力により、押しボタン片は上方に上がり、使用者は被発射体を本体の底面の被発射体収納溝に入れれば、直ちに被発射体を発射させることができる。
【００１７】
また、請求項４の考案によれば、被発射体収納溝の開口側の両側が、平行な発射ガイド溝となっているため、作動片の下端部で打撃された被発射体は、当該発射ガイド溝に沿って移動し、方向性を持った発射となる。従って、的にめがけて被発射体を発射させることもでき、使用幅が広がる。
【００１８】
また、請求項５の考案によれば、前記押しボタン片の第１弾性部材の取付け端が前記作動片の軸支部より上方に又は下方に位置した際、前記作動片の回転を規制するストッパを本体に設けたことにより、当該ストッパで作動片の回転が止まり、当該玩具の操作性が良い。
【００１９】
また、請求項６の考案によれば、下部に伏せ腕状の凹部を有するキャップが前記押しボタン片の上部に被冠されているため、当該キャップを上から押せば、被発射体が発射でき、当該キャップが押しボタン片より大きい面積の押しボタンとなり、当該玩具の操作性が良い。また、キャップ自体を動物、人形、キャラクター形状とした場合は趣きが増し、使用者に親しみやすい発射玩具となる。
【図面の簡単な説明】
【００２０】
【図１】この考案の実施の形態例１の円板発射玩具のキャップを外した状態の斜視図である。
【図２】この考案の実施の形態例１の円板発射玩具の中央縦断面図である。
【図３】この考案の実施の形態例１の円板発射玩具のキャップを外した平面図である。
【図４】この考案の実施の形態例１の円板発射玩具のキャップを外した底面図である。
【図５】この考案の実施の形態例１の円板発射玩具の円板収納溝にコインを入れて発射させる状態の中央縦断面図である。
【図６】この考案の実施の形態例１の円板発射玩具の円板収納溝に入れたコインを発射させた状態の中央縦断面図である。
【図７】この考案の実施の形態例２の円板発射玩具のキャップを外した平面図である。
【図８】この考案の実施の形態例２の円板発射玩具の円板収納溝にコインを入れて発射させる状態の中央縦断面図である。
【図９】この考案の実施の形態例２の円板発射玩具の円板収納溝に入れたコインを発射させた状態の中央縦断面図である。
【図１０】この考案の他の実施の形態例における被発射体が四角片である発射玩具のキャップを外した底面図である。
【図１１】この考案のさらに他の実施の形態例における被発射体が三角片である発射玩具のキャップを外した底面図である。
【考案を実施するための形態】
【００２１】
（実施の形態例１）
この考案の実施の形態例１の円板発射玩具Ａを図１〜６に基づいて説明する。この円板発射玩具Ａは、前記被発射体を円板、即ちコインとした実施の形態例である。
【００２２】
円板型の本体１の上面に、平面視コ字型の枠体２が設けられ、当該枠体２の溝内に上下摺動自在に、板状の押しボタン片３が嵌入されている。また、前記枠体２の横の本体１の上面に、間隔をあけて軸受４，４が設けられ、当該軸受４，４に鍵型の作動片５の二股の各上部鉤型片５ａの先端が軸６，６により回転自在に軸支されている。
【００２３】
また、前記枠体２の一側の一部に切欠き７が設けられ、当該作動片５の上部鉤型片５ａの基部側、すなわち、前記押しボタン片３から見て前記軸６より離れた箇所の二股の各上部鉤型片５ａ間に設けられたピン８と前記押しボタン片３の一側下部に設けた係止片９との間に、前記切り欠き７を通して第１スプリングバネ１０が設けられている。
【００２４】
また、本体１の上面において、前記作動片５の下方から前記枠体２の切り欠き７の下方まで、本体１の上面には透孔１１が設けられている。そして、前記円板型の本体１の底面には、被発射体であるコインを収納する大きさ及び形状を有する円板収納溝１２が設けられている。当該円板収納溝１２は、図４に示すように、本体１の底面の一側の外縁まで伸びて、開口部１２ａが設けられ、当該開口部１２ａに至る個所は、両側が平行となった発射ガイド溝１２ｂが形成されている。
【００２５】
また、前記透孔１１は前記円板収納溝１２に連通され、前記作動片５の下端は当該透孔１１を通って、円板収納溝１２内に突出されている。また、前記押しボタン片３には、両側面を貫通する縦長のガイド透孔１３が設けられ、前記枠体２の一側から突出した係止軸１４が当該ガイド透孔１３に嵌入されている。
【００２６】
また、図２に示すように、前記押しボタン片３の上端には、略伏せ椀状のキャップ１５が設けられ、当該キャップ１５により前記枠体２及び軸受４及び作動片５の一部が被われている。
【００２７】
そして、使用者が前記押しボタン片３を押さない状態では、図２に示すように作動片５は、第１スプリングバネ１０の収縮力に付勢されて、軸６を中心に時計方向に回転しようとするが、透孔１１の一方の端面に下端が当接して回転を阻止されている。
【００２８】
この状態で、使用者は当該円板発射玩具Ａを卓上にのせて円板発射玩具Ａを手で動かし、同じく卓上に置いたコイン１６を、図５に示すように、円板収納溝１２の開口部１２ａから円盤収納溝１２内に入れる。そして、使用者がキャップ１５を押すと押しボタン片３は枠体２の溝内を下方に摺動する。
【００２９】
その際、第１スプリングバネ１０は軸６を通るまでは伸ばされ、軸６を通り越すと再び収縮する力が働き、これにより作動片５は軸６を中心に、図６に示すように、反時計方向に回転し、円板収納溝１２内のコイン１６の一側を打撃し、コイン１６は発射ガイド溝１２ｂを通って開口部１２ａから当該円板発射玩具Ａの外方に飛び出す。そして作動片５は透孔１１の他方の端面に当たってその回転が止められる。
【００３０】
この様に、当該円板発射玩具Ａによれば、押しボタン片３を押すと、第１スプリングバネ１０の付勢力により作動片５が回転してコイン１６を打撃し、コイン１６を卓上で飛ばすことができる。そして、キャップ１５を第１スプリングバネ１０の力に抗して引き上げると図５の状態に戻り、再びコイン１６を発射させることができる。
【００３１】
（実施の形態例２）
次にこの考案の実施の形態例２の円板発射玩具Ｂを図７〜図９に基づいて説明する。この円板発射玩具Ｂも前記被発射体を円板、即ちコインとした実施の形態例である。
【００３２】
この実施の形態例２は上記実施の形態例１とほぼ同じであるが、押しボタン片３がスプリングバネの力により常時上方に上がるように付勢されている点及び作用片５の形状がＴ字型となっている点が異なる。
【００３３】
これらの異なる点を説明する。平面視コ字型の枠体２内の押しボタン片３の下端面と、本体１の上面との間に、第２スプリングバネ１７が設けられている。当該第２スプリングバネ１７は、図８に示すように、前記第１スプリングバネ１０の力に抗して、押しボタン片３を、常時押しボタン片３の第１スプリングバネ１０の取付け位置が、後述する作動片１８の軸支部より上方に位置するように付勢されている。
【００３４】
また、Ｔ字型の作動片１８は、図８に示すように、押しボタン片３に近い上部片１８ａの一端が支持壁１９から水平に突出する軸２０に回転自在に支持されている。また、第１スプリングバネ１０は、その一端が前記作動片１８の上部片１８ａの、前記枠体２から離れた方の他端に接続され、他端は前記押しボタン片３の一側下部に接続されている。さらに、前記支持壁１９からストッパ２１が水平に突出し、前記作動片１８の回転を規制している。
【００３５】
また、前記作動片１８の下端は、本体１の上面に設けた透孔１１を通って、本体１の底面に設けた円板収納溝１２内に突出している。他の構成は上記実施の形態例１と同様である。
【００３６】
この実施の形態例２において、使用者は当該円板発射玩具Ｂを卓上にのせて円板発射玩具Ｂを手で動かし、卓上に置いたコイン１６を、図８に示すように、円板収納溝１２の開口部１２ａから円盤収納溝１２内に入れる。そして、使用者がキャップ１５を第２スプリングバネ１７の力に抗して押すと、押しボタン片３は枠体２の溝内を下方に摺動する。
【００３７】
その際、第１スプリングバネ１０は軸２０を通るまでは伸ばされ、軸２０を通り越すと再び収縮する力が働き、これにより作動片１８は軸２０を中心に、図９に示すように、反時計方向に回転し、円板収納溝１２内のコイン１６の一側を打撃し、コイン１６は発射ガイド溝１２ｂを通って開口部１２ａから当該円板発射玩具Ｂの外方に飛び出す。そこで前記作動片１８の下端は透孔１１の端面に当たり、回転を規制される。ここでは透孔１１の端面が作動片１８の回転のストッパの役目を果たしている。
【００３８】
そして、使用者がキャップ１５を押さえ付けていた手を離すと、キャップ１５及び押しボタン片３は、第２スプリングバネ１７の力により図８に示すように、上方に戻る。その際、第１スプリングバネ１０は、始めは伸張し、軸２０を超えると再び収縮する。これにより作動片１８は軸２０を中心に時計方向に回転し、上部片１８ａの他端がストッパ２１に当たり停止する。
【００３９】
この様に、当該円板発射玩具Ｂは第２スプリングバネ１７の力により、キャップ１５及び押しボタン片３は常時上方に位置しているため、前記実施の形態例１と異なり、使用者は、キャップ１５や押しボタン片３を上方に戻す必要がない。従って、使用者はコイン１６を本体１の底面の円板収納溝１２に入れて多数のコイン１６を迅速に発射させることができる。
【００４０】
なお、上記実施の形態例１及び２では、キャップ１５の形状を伏せ椀状のキャップとしたが、当該キャップの形状は、下部に伏せ椀状の凹部を有していればよく、キャップ自体は動物、人形、キャラクター形状とすることもできる。またキャップ１５はさらに他の適宜の形状にすることも出来る。また、当該キャップ１５を設けなくても良い。
【００４１】
また、上記実施の形態例１及び２では第１スプリングバネ１０及び第２スプリングバネ１７としたが、これらはスプリングバネに限らず、適宜の弾性部材であれば良い。
【００４２】
また、上記実施の形態例１及び２では、コイン１６を発射させたが、メダルやその他の円板を発射させることもできる。さらに、円板に限らず、この考案の被発射体の発射玩具は、薄板状の四角片、三角片、立体的な球体、ブロック体等、適宜の形状の被発射体を発射させることができる。
【００４３】
その場合、図１０に示すように、被発射体が四角片２２であれば、当該四角片２２が嵌合できる四角形の四角片収納溝２３に、また、図１１に示すように、被発射体が三角片２４であれば当該三角片２４が嵌合できる角型の三角片収納溝２５にする等、各被発射体が嵌合自在な形状の被発射体収納溝を設ける必要がある。
【００４４】
さらに、上記実施の形態例１では透孔１１の相対向する端面が作動片５の回転のストッパとなっており、実施の形態例２ではストッパ２１と透孔１１の一方の端面を作動片１８の回転のストッパとしているが、ストッパはこれらに限らず、作動片５又は１８の回転を規制するものであれば良い。
【符号の説明】
【００４５】
Ａ      円板発射玩具                Ｂ      円板発射玩具
１      本体                        ２      枠体
３      押しボタン片                ４      軸受
５      作動片                      ５ａ    上部鉤型片
６      軸                          ７      切り欠き
８      ピン                        ９      係止片
１０    第１スプリングバネ          １１    透孔
１２    円板収納溝                  １２ａ  開口部
１２ｂ  発射ガイド溝                １３    ガイド透孔
１４    係止軸                      １５    キャップ
１６    コイン                      １７    第２スプリングバネ
１８    作動片                      １８ａ  上部片
１９    支持壁                      ２０    軸
２１    ストッパ                    ２２    四角片
２３    四角片収納溝                ２４    三角片
２５    三角片収納溝
【図１】
0003195926.tif 000003
【図２】
0003195926.tif 000004
【図３】
0003195926.tif 000005
【図４】
0003195926.tif 000006
【図５】
0003195926.tif 000007
【図６】
0003195926.tif 000008
【図７】
0003195926.tif 000009
【図８】
0003195926.tif 000010
【図９】
0003195926.tif 000011
【図１０】
0003195926.tif 000012
【図１１】
0003195926.tif 000013